【事件の表示】
　特許第３２７６６２４号「繊維製拭材及びその関連技術」の請求項１ないし１１に係る特許に対する特許異議の申立てについて、次のとおり決定する。
【結　論】
　訂正を認める。
　特許第３２７６６２４号の請求項１ないし１１に係る特許を維持する。
【理　由】
１．手続の経緯
　特許第３２７６６２４号の請求項１ないし１１に係る発明についての出願は、平成１２年４月６日に特許出願され、平成１４年２月８日にその発明について特許権の設定登録がされ、その後、その特許について、特許異議申立人　ユニチャーム株式会社により特許異議の申立てがなされ、取消しの理由が通知され、その指定期間内である平成１５年７月１５日に訂正請求（後日取下げ）がなされ後、再度取消しの理由が通知され、その指定期間内である平成１５年９月９日に訂正請求がなされたものである。
　　
２．訂正の適否についての判断
１）訂正内容
　特許権者が求めている訂正の内容は以下の訂正事項ａないし訂正事項ｍのとおりである。
　　
（１）訂正事項ａ
　特許請求の範囲の請求項１について、
「線状又はスリット状の複数の切れ目」を「線状又はスリット状の複数の折曲線状の切れ目」と、
「各切れ目の方向が角度を有しており」を「各切れ目の方向が切れ目列の方向に対し傾斜しており」と、
「内方に位置する」を「内方に位置し、
前記拭材は折り目又は圧縮凹線を１又は２以上有し、全て又は一部の切れ目列における各切れ目がその折り目又は圧縮凹線に交差するものである」と、
それぞれ訂正する。
　　
（２）訂正事項ｂ
　特許請求の範囲の請求項４について、その全文を
「拭面部を有する基体を備えた拭材保持具における前記基体の拭面部を覆うと共にその拭面部のうち拭対象部に接する部分の端縁部を屈曲状態又は湾曲状態で覆った状態で保持して使用するための、シート状の不織布からなるシート状の拭材であって、
線状又はスリット状の複数の切れ目が一列に並んでなる切れ目列を１又は２以上有し、
前記切れ目列の方向に対し、その切れ目列を構成する各切れ目の方向が傾斜しており、
各切れ目の両端は拭材の端縁よりも内方に位置し、
拭材は、平行な相対する２辺を有し、拭材における相対する２辺の間の中央と前記２辺の一方との間に、その一方の辺に平行な折り目又は圧縮凹線を有し、その折り目又は圧縮凹線において屈曲した状態で基体の拭面部のうち払対象部に接する部分の端縁部を覆うものであり、
前記全て又は一部の切れ目列における各切れ目がその折り目又は圧縮凹線に交差するものであり、
前記折り目又は圧縮凹線において屈曲した状態で基体の拭面部のうち払対象部に接する部分の端縁部を覆った状態で拭材保持具に保持されて使用されることにより、折り目又は圧縮凹線に交差する切れ目列の各切れ目がやや開口した状態となることを特徴とする繊維製拭材。」
と訂正する。
　　
（３）訂正事項ｃ
　特許請求の範囲の請求項５について、その全文を
「上記切れ目列が、全長２乃至８ｃｍの線状又はスリット状の複数の切れ目が一列に並んでなるものである請求項４記載の繊維製拭材。」
と訂正する。
　　
（４）訂正事項ｄ
　特許請求の範囲の請求項６について、
「切れ目列が設けられたものである請求項５の」を「切れ目列が設けられ、折り目又は圧縮凹線を前記直線に沿って有し、前記切れ目列における各切れ目がその折り目又は圧縮凹線に交差するものである請求項１、２又は３記載の」と訂正する。
　　
（５）訂正事項ｅ
　特許請求の範囲の請求項７について、
「シート状拭材が折り目又は圧縮凹線を」を「シート状拭材が、拭材における相対する２辺の間の中央と前記２辺の一方との間に、その一方の辺に平行な折り目又は圧縮凹線を」と、
「請求項５又は６記載の」を「請求項６記載の」と、
それぞれ訂正する。
　　
（６）訂正事項ｆ
　特許請求の範囲の請求項７について、
「各切れ目がその折り目に交差する」を「各切れ目がその折り目又は圧縮凹線に交差する」と訂正する。
　　
（７）訂正事項ｇ
　特許請求の範囲の請求項８について、その全文を
「上記切れ目列が、全長２乃至８ｃｍの線状又はスリット状の複数の切れ目が一列に並んでなるものである請求項１、２、３、６又は７記載の繊維製拭材。」と訂正する。
　　
（８）訂正事項ｈ
　特許請求の範囲の請求項９について、
「請求項１、２、３、４、５、６、７又は８記載の」を、「請求項１、２、３、６、７又は８記載の」と訂正する。
　　
（９）訂正事項ｉ
　特許請求の範囲の請求項１０について、
「請求項１、２、３、４、５、６、７、８又は９記載の」を、「請求項１、２、３、６、７、８又は９記載の」と訂正する。
　　
（１０）訂正事項ｊ
　特許請求の範囲の請求項１１について、
「請求項１、２、３、４、５、６、７、８又は９記載の」を、「請求項４又は５記載の」と訂正する。
　　
（１１）訂正事項ｋ
　明細書の段落【０００６】について、
「線状又はスリット状の複数の切れ目」を「線状又はスリット状の複数の折曲線状の切れ目」と、
「各切れ目の方向が角度を有しており」を「各切れ目の方向が切れ目列の方向に対し傾斜しており」と、
「内方に位置する」を「内方に位置し、
前記拭材は折り目又は圧縮凹線を１又は２以上有し、全て又は一部の切れ目列における各切れ目がその折り目又は圧縮凹線に交差するものである」と、
それぞれ訂正する。
　　
（１２）訂正事項ｌ
　明細書の段落【０００７】について、
「（２）また本発明の」を「（２）本発明の別の繊維製拭材は、拭面部を有する基体を備えた拭材保持具における前記基体の拭面部を覆うと共にその拭面部のうち拭対象部に接する部分の端縁部を屈曲状態又は湾曲状態で覆った状態で保持して使用するための、シート状の不織布からなるシート状の拭材であって、
線状又はスリット状の複数の切れ目が一列に並んでなる切れ目列を１又は２以上有し、
前記切れ目列の方向に対し、その切れ目列を構成する各切れ目の方向が傾斜しており、
各切れ目の両端は拭材の端縁よりも内方に位置し、
拭材は、平行な相対する２辺を有し、拭材における相対する２辺の間の中央と前記２辺の一方との間に、その一方の辺に平行な折り目又は圧縮凹線を有し、その折り目又は圧縮凹線において屈曲した状態で基体の拭面部のうち払対象部に接する部分の端縁部を覆うものであり、
前記全て又は一部の切れ目列における各切れ目がその折り目又は圧縮凹線に交差するものであり、
前記折り目又は圧縮凹線において屈曲した状態で基体の拭面部のうち払対象部に接する部分の端縁部を覆った状態で拭材保持具に保持されて使用されることにより、折り目又は圧縮凹線に交差する切れ目列の各切れ目がやや開口した状態となることを特徴とする。
　また本発明の」と、
「本発明の繊維製拭材」を「（２）における前記本発明の別の繊維製拭材」とそれぞれ訂正する。
　　
（１３）訂正事項ｍ
　明細書の段落【０００８】について、
「本発明の繊維製拭材」を「前記（１）記載の本発明の繊維製拭材」と訂正する。
　　
２）訂正の目的の適否、新規事項の有無、及び特許請求の範囲の拡張・変更の存否
（１）訂正事項ａについて
　上記訂正事項ａに関連する記載として、願書に添付した明細書（以下、「特許明細書」という。）の発明の詳細な説明において、段落【００３７】には「各切れ目は、・・・・・折曲線状とすることは、切れ目を開口し易くして塵埃保持を効果的に行わせる上で好ましい。」と記載され、また、段落【００４１】には「切れ目がＶ字状などの折曲線状である場合、その折曲点を基体の拭面部のうち拭対象部に接する部分の端縁部に位置させて使用すると各切れ目がやや開口した状態となることがより生じ易いので好ましい。」と記載されていることから、「切れ目」として「折曲線状の切れ目」を用いてなる発明は特許明細書に記載されているものと認められる。
　また、同様に、段落【００３１】には「切れ目列を構成する各切れ目の方向は、切れ目列の方向に対し傾斜しているものであることが好ましい。」と記載されていることから、「各切れ目の方向」として「各切れ目の方向が切れ目列の方向に対し傾斜して」を用いてなる発明は特許明細書に記載されているものと認められる。そして、特許明細書にも記載されているように、切れ目列の方向に対し、その切れ目列を構成する各切れ目の方向が角度を有しているというのは、切れ目の方向が切れ目列の方向に対し平行でないことを意味し（特許明細書段落【００３０】の記載参照）、また、切れ目列の方向に対し、その切れ目列を構成する各切れ目の方向が傾斜しているというのは、切れ目の方向が切れ目列の方向に対し平行でも垂直でもないことを意味する（特許明細書段落【００３５】の記載参照）ことから、「傾斜して」は「角度をを有して」の下位概念であると認められる。
　さらに、段落【００２３】には「拭材が折り目又は圧縮凹線を１又は２以上有し、全て又は一部の切れ目列における各切れ目がその折り目又は圧縮凹線に交差するものとすることができる。」と記載されていることから、「拭材」として「拭材は折り目又は圧縮凹線を１又は２以上有し、全て又は一部の切れ目列における各切れ目がその折り目又は圧縮凹線に交差するものである」を用いてなる発明は特許明細書に記載されているものと認められる。
　以上のことから、上記訂正事項ａは、特許明細書に記載された事項の範囲内において「切れ目」、「切れ目の方向」及び「拭材」を限定したものといえるから、特許請求の範囲の減縮を目的とした明細書の訂正に該当するものであって、新規事項の追加に該当せず、また、実質上特許請求の範囲を拡張し、又は変更するものではない。
　　
（２）訂正事項ｂについて
　上記訂正事項ｂに関連する記載として、特許明細書の発明の詳細な説明において、段落【００３１】には「切れ目列を構成する各切れ目の方向は、切れ目列の方向に対し傾斜しているものであることが好ましい。」と記載され、また、段落【０００７】には「拭面部を有する基体を備えた拭材保持具に、その基体の拭面部を覆うと共にその拭面部のうち拭対象部に接する部分の端縁部を屈曲状態又は湾曲状態で覆い、且つ前記端縁部と切れ目列がほぼ平行でその端縁部に各切れ目が交差するように、本発明の繊維製拭材を保持
させた状態で、基体の拭面部を覆う繊維製拭材を基体により拭対象部に押し当てて摺動させて、各切れ目をやや開いた状態とさせつつ拭対象部の拭掃除を行なう」と記載され、段落【００２０】には「拭材は、例えばシート状をなすものとすることができる。拭材がシート状である場合、例えば拭材が平行な相対する２辺を有するシート状（例えば方形シート状）をなすものとすることができる。」と記載され、段落【００２２】には「切れ目列は、相対する２辺とそれらの中央との間にそれぞれ１ずつ設けられたものとすることができる。これらは互いに平行である。」と記載され、段落【００２３】には「シート状の拭材が折り目又は圧縮凹線を１又は２以上有し、全て又は一部の切れ目列における各切れ目がその折り目又は圧縮凹線に交差するものとすることができる。」と記載され、段落【００２４】には「折り目又は圧縮凹線において屈曲した状態で拭材により基体の拭面部のうち拭対象部に接する部分の端縁部を覆うことが容易であり、それにより、繊維製拭材のうち前記端縁部を覆う部分において、その端縁部に対し各切れ目が交差した状態とすることができる。」と記載されている。
　そうすると、上記訂正事項ｂは、特許明細書に記載された事項の範囲内において「拭材」を限定したものといえるから、特許請求の範囲の減縮を目的とした明細書の訂正に該当するものであって、新規事項の追加に該当せず、また、実質上特許請求の範囲を拡張し、又は変更するものではない。
　　
（３）訂正事項ｃについて
　上記訂正事項ｃに関連する記載として、特許明細書の発明の詳細な説明において、段落【００１４】には「各切れ目の全長は例えば１乃至１０ｃｍとすることができる。好ましくは２乃至８ｃｍ、より好ましくは３乃至６ｃｍである。」と記載されていることから、「切れ目」として「全長２乃至８ｃｍの・・・・・切れ目」を用いてなる発明は特許明細書に記載されているものと認められる。
　そうすると、上記訂正事項ｃは、特許明細書に記載された事項の範囲内において「切れ目」を限定したものといえるから、特許請求の範囲の減縮を目的とした明細書の訂正に該当するものであって、新規事項の追加に該当せず、また、実質上特許請求の範囲を拡張し、又は変更するものではない。
　　
（４）訂正事項ｄについて
　上記訂正事項ｄに関連する記載として、特許明細書の発明の詳細な説明において、段落【００２６】には「シート状の拭材の例としては、・・・・・互いに平行な相対する２辺を有するシート状又は方形シート状をなし、折り目又は圧縮凹線が前記２辺に平行であるもの」と記載されていることから、「切れ目列」として「折り目又は圧縮凹線を前記直線に沿って有し、前記切れ目列における各切れ目がその折り目又は圧縮凹線に交差するものである」を用いてなる発明は特許明細書に記載されているものと認められる。
　そうすると、上記訂正事項ｄは、特許明細書に記載された事項の範囲内において「切れ目列」を限定したものといえるから、特許請求の範囲の減縮を目的とした明細書の訂正に該当するものであって、新規事項の追加に該当せず、また、実質上特許請求の範囲を拡張し、又は変更するものではない。
　　
（５）訂正事項ｅについて
　上記訂正事項ｅに関連する記載として、特許明細書の発明の詳細な説明において、段落【００２２】には「切れ目列は、相対する２辺とそれらの中央との間にそれぞれ１ずつ設けられたものとすることができる。これらは互いに平行である。」と記載され、段落【００２３】には「シート状の拭材が折り目又は圧縮凹線を１又は２以上有し、全て又は一部の切れ目列における各切れ目がその折り目又は圧縮凹線に交差するものとすることができる。」と記載されていることから、「シート状拭材」として「シート状拭材が、拭材における相対する２辺の間の中央と前記２辺の一方との間に、その一方の辺に平行な折り目又は圧縮凹線を有し」を用いてなる発明は特許明細書に記載されているものと認められる。
　そうすると、上記訂正事項ｅは、特許明細書に記載された事項の範囲内において「シート状拭材」を限定したものといえるから、特許請求の範囲の減縮を目的とした明細書の訂正に該当するものであって、新規事項の追加に該当せず、また、実質上特許請求の範囲を拡張し、又は変更するものではない。
　　
（６）訂正事項ｆについて
　上記訂正事項ｆに関連する記載として、特許明細書の発明の詳細な説明において、段落【００２３】には「シート状の拭材が折り目又は圧縮凹線を１又は２以上有し、全て又は一部の切れ目列における各切れ目がその折り目又は圧縮凹線に交差するものとすることができる。」と記載されていることから、「切れ目」として「各切れ目がその折り目又は圧縮凹線に交差するもの」を用いてなる発明は特許明細書に記載されているものと認められる。
　そうすると、上記訂正事項ｆは、特許明細書に記載された事項の範囲内において「切れ目」を限定したものといえるから、特許請求の範囲の減縮を目的とした明細書の訂正に該当するものであって、新規事項の追加に該当せず、また、実質上特許請求の範囲を拡張し、又は変更するものではない。
　　
（７）訂正事項ｇについて
　上記訂正事項ｇに関連する記載として、特許明細書の発明の詳細な説明において、段落【００１４】には「各切れ目の全長は例えば１乃至１０ｃｍとすることができる。好ましくは２乃至８ｃｍ、より好ましくは３乃至６ｃｍである。」と記載されていることから、「切れ目」として「全長２乃至８ｃｍ・・・・・の切れ目」を用いてなる発明は特許明細書に記載されているものと認められる。
　そうすると、上記訂正事項ｇは、特許明細書に記載された事項の範囲内において「切れ目」を限定したものといえるから、特許請求の範囲の減縮を目的とした明細書の訂正に該当するものであって、新規事項の追加に該当せず、また、実質上特許請求の範囲を拡張し、又は変更するものではない。
　　
（８）訂正事項ｈについて
　訂正事項ｈは「請求項１、２、３、４、５、６、７又は８記載の」を、「請求項１、２、３、６、７又は８記載の」と訂正するものであって、請求項１、６、７及び８が訂正事項ａ、ｄ、ｅ、ｆ及びｇにより前述した通り特許請求の範囲の減縮を目的として訂正されるのであるから、当該訂正事項ｈも特許請求の範囲の減縮を目的とした明細書の訂正に該当するものであって、新規事項の追加に該当せず、また、実質上特許請求の範囲を拡張し、又は変更するものではない。
　　
（９）訂正事項ｉについて
　訂正事項ｉは「請求項１、２、３、４、５、６、７、８又は９記載の」を、「請求項１、２、３、６、７、８又は９記載の」と訂正するものであって、請求項１、６、７、８及び９が訂正事項ａ、ｄ、ｅ、ｆ、ｇ及びｈにより前述した通り特許請求の範囲の減縮を目的として訂正されるのであるから、当該訂正事項ｉも特許請求の範囲の減縮を目的とした明細書の訂正に該当するものであって、新規事項の追加に該当せず、また、実質上特許請求の範囲を拡張し、又は変更するものではない。
　　
（１０）訂正事項ｊについて
　訂正事項ｊは「請求項１、２、３、４、５、６、７、８又は９記載の」を、「請求項４又は５記載の」と訂正するものであって、請求項４及び５が訂正事項ｂ及びｃにより前述した通り特許請求の範囲の減縮を目的として訂正されるのであるから、当該訂正事項ｊも特許請求の範囲の減縮を目的とした明細書の訂正に該当するものであって、新規事項の追加に該当せず、また、実質上特許請求の範囲を拡張し、又は変更するものではない。
　　
（１１）訂正事項ｋについて
　　訂正事項ｋは、上記訂正事項ａとの整合を図るものであるから、明りょうでない記載の釈明を目的とした明細書の訂正に該当し、新規事項の追加に該当せず、実質的に特許請求の範囲を拡張又は変更するものではない。
　　
（１２）訂正事項ｌについて
　訂正事項ｌは、上記訂正事項ｂ及びｊとの整合を図るものであるから、明りょうでない記載の釈明を目的とした明細書の訂正に該当し、新規事項の追加に該当せず、実質的に特許請求の範囲を拡張又は変更するものではない。
　　
（１３）訂正事項ｍについて
　訂正事項ｍは、上記訂正事項ｉとの整合を図るものであるから、明りょうでない記載の釈明を目的とした明細書の訂正に該当し、新規事項の追加に該当せず、実質的に特許請求の範囲を拡張又は変更するものではない。
　　
３）むすび
　以上のとおりであるから、上記訂正は特許法第１２０条の４第２項及び同条第３項において準用する第１２６条第２，３項の規定に適合するので、当該訂正を認める。
　　
３．特許異議の申立てについて
１）申立ての理由の概要
　特許異議申立人　ユニ・チャーム株式会社は、特許第３２７６６２４号の請求項１ないし１１に係る発明は、甲第１号証で示す刊行物に記載された発明であり、特許法第２９条第１項第３号に規定する発明に該当し、または少なくとも甲第１号証並びに甲第２号証で示す刊行物に記載された発明に基いて当業者が容易に発明をすることができたものであるから、特許法第２９条第２項の規定により特許を受けることができない発明であって、それらの発明の特許は、特許法第１１３条第２号に該当するので取り消されるべき旨主張している。また、同請求項８に係る発明の特許は、特許法第３６条第６号第２号に規定する要件を満たしていないものであるから、その発明の特許は、特許法第１１３条第４号に該当するので取り消されるべき旨主張している。
　　
２）本件発明
　特許第３２７６６２４号の請求項１ないし１１に係る発明（以下、それぞれ「本件発明１」ないし「本件発明１１」という。）は、平成１５年９月９日付けの訂正明細書の特許請求の範囲の請求項１ないし１１に記載された事項により特定される次のとおりのものである。
　　
【請求項１】
　線状又はスリット状の複数の
折曲線状の
前記切れ目列の方向に対し、その切れ目列を構成する各切れ目の方向が
切れ目列の方向に対し傾斜しており
各切れ目の両端は拭材の端縁よりも内方に位置
し、前記拭材は折り目又は圧縮凹線を１又は２以上有し、全て又は一部の切れ目列における各切れ目がその折り目又は圧縮凹線に交差するものである
【請求項２】
　全て又は一部の切れ目列において、その切れ目列を構成する切れ目が一直線上に並んでいる請求項１記載の繊維製拭材。
【請求項３】
　全て又は一部の切れ目列における全ての切れ目が、同一形状で一定間隔おきに平行に配列されたものである請求項１又は２記載の繊維製拭材。
【請求項４】
　
拭面部を有する基体を備えた拭材保持具における前記基体の拭面部を覆うと共にその拭面部のうち拭対象部に接する部分の端縁部を屈曲状態又は湾曲状態で覆った状態で保持して使用するための、シート状の不織布からなるシート状の拭材であって、線状又はスリット状の複数の切れ目が一列に並んでなる切れ目列を１又は２以上有し、前記切れ目列の方向に対し、その切れ目列を構成する各切れ目の方向が傾斜しており、各切れ目の両端は拭材の端縁よりも内方に位置し、拭材は、平行な相対する２辺を有し、拭材における相対する２辺の間の中央と前記２辺の一方との間に、その一方の辺に平行な折り目又は圧縮凹線を有し、その折り目又は圧縮凹線において屈曲した状態で基体の拭面部のうち払対象部に接する部分の端縁部を覆うものであり、前記全て又は一部の切れ目列における各切れ目がその折り目又は圧縮凹線に交差するものであり、前記折り目又は圧縮凹線において屈曲した状態で基体の拭面部のうち払対象部に接する部分の端縁部を覆った状態で拭材保持具に保持されて使用されることにより、折り目又は圧縮凹線に交差する切れ目列の各切れ目がやや開口した状態となることを特徴とする繊維製拭材。
　
上記切れ目列が、全長２乃至８ｃｍの線状又はスリット状の複数の切れ目が一列に並んでなるものである請求項４記載の繊維製拭材。
　拭材が、平行な相対する２辺を有するシート状をなし、拭材における相対する２辺の間の中央と前記２辺の一方との間に、その一方の辺に平行な直線に沿って、切れ目列が設けられ、
折り目又は圧縮凹線を前記直線に沿って有し、前記切れ目列における各切れ目がその折り目又は圧縮凹線に交差する
１、２又は３
【請求項７】
　シート状拭材が
、拭材における相対する２辺の間の中央と前記２辺の一方との間に、その一方の辺に平行な
又は圧縮凹線
６
【請求項８】
　
上記切れ目列が、全長２乃至８ｃｍの線状又はスリット状の複数の切れ目が一列に並んでなるものである請求項１、２、３、６又は７記載の繊維製拭材。
　切れ目がＶ字状をなし、各切れ目の対称軸線がほぼ切れ目列の方向に沿うものである
請求項１、２、３、６、７又は８記載の
【請求項１０】
　拭面部を有する基体を備えた拭材保持具と、
請求項１、２、３、６、７、８又は９記載の
【請求項１１】
　拭面部を有する基体を備えた拭材保持具に、その基体の拭面部を覆うと共にその拭面部のうち拭対象部に接する部分の端縁部を屈曲状態又は湾曲状態で覆い、且つ前記端縁部と切れ目列がほぼ平行でその端縁部に各切れ目が交差するように、
請求項４又は５記載の
　　
３）引用刊行物
刊行物１：特開平１１−２３５３０１号公報（甲第１号証）
刊行物２：特開平９−３８００９号公報（甲第２号証）
　　
４）刊行物に記載された発明
　刊行物１には、図１ないし７と共に、
「長繊維層若しくは短冊状シートの層３と、基材シート２との接着を熱処理（熱エンボスロール加工）や超音波溶着手段を用いて行うことができる。」（第４頁第６段第３５〜３７行）、
「清掃用物品１は清掃用モップ１０に取り付けられて使用することができる。清掃用モップ１０は、清掃プレート１１に柄１２が取り付けられている。本発明の清掃用物品１は、刷毛状部６が前記清掃プレート１１の床などの被清掃物の対向面に設置され、清掃用物品の両側部が清掃プレート１１の上面に巻き上げられ、保持クリップ１３、１３により保持される。この形態で本発明の清掃用物品が使用される場合、清掃プレート１１の上面に巻き上げられる清掃用物品の両側部には刷毛状部６は形成されていなくてもよい。」（第５頁第７段第１〜１０行）、
「図５（Ａ）では、接合線４が直線でなく波型である。この波型の接合線４の間に切断部５が断続的に形成されている。」（第５頁第８段第３０〜３２行）
及び「図７の清掃用物品では、図５（Ｂ）に示した接合線と切断部のパターンがｙ方向において清掃用物品１の中心を通る中心線２０に対して対称となっている。・・・掃く方向がｘ方向、ｙ方向、あるいは他の方向であっても優れたゴミの捕集効果が得られる。」（第６頁第９段第２４〜３０行）との記載からみて、
「基材シート２の上下両面に長繊維層若しくは短冊状シートの層３が接合線４において接着あるいは溶着され、線状又はスリット状の複数の直線状切断部５が一列に並んでなる切断部列を２以上有するシート状の繊維製品からなる清掃用物品であって、
前記切断部列を構成する各切断部５の方向（図５(A)におけるｙ方向）が切断部列の方向（図５(A)におけるｘ方向）に対し垂直であり、各切断部５の両端は拭材の端縁よりも内方に位置し、前記清掃用物品は波型の接合線４を２以上有し、該接合線４の間に切断部５が断続的に形成されているものである清掃用物品。」（以下、「引用発明１」という。）、
「被清掃物に対向する面を有する清掃プレート１１を備えた清掃用モップ１０における前記清掃プレート１１の対向面に設置される共にその両側部が前記清掃プレート１１の上面に巻き上げられた状態で保持して使用するための、シート状の不織布からなるシート状の清掃用物品であって、
　基材シート２の上下両面に長繊維層若しくは短冊状シートの層３が接合線４において接着あるいは溶着され、線状又はスリット状の複数の切断部５が一列に並んでなる切断部列を２以上有し、前記切断部列を構成する各切断部５の方向（図５(A)におけるｙ方向）が切断部列の方向（図５(A)におけるｘ方向）に対しほぼ垂直であり、各切断部の両端は拭材の端縁よりも内方に位置し、
　また、平行な相対する２辺を有し、該相対する２辺の間の中央と前記２辺の一方との間に、その一方の辺に平行な巻き上げ部を有し、該巻き上げ部において巻き上げた状態で前記清掃プレート１１の対向面のうち被清掃物に接する部分の端縁部を覆うものであり、
　更に、波型の接合線４を２以上有し、該接合線４は前記相対する２辺にほぼ垂直であって、その間に切断部５が断続的に形成されているものである清掃用物品。」（以下、「引用発明２」という。）、
が記載されていると認められる。
　　
  また、刊行物２には、図１ないし１３と共に、
「本発明の清掃布を構成する繊維材料は、織布・不織布、・・・上記繊維材料として不織布を使用する場合には、吸塵性に優れ且つ耐摩耗性に優れている繊維材料からなる不織布が特に好ましく使用される。この様な性質を備えた好ましい不織布としては、例えば、スパンレース不織布等が挙げられる。・・・本発明の清掃布における拭取り部は、当該拭取り部が、内部に挿入空間を有する袋部の周面部を形成するように、例えば、二枚のシート状の繊維材料を重ね合わせ、更に縫合或いはヒートシールして設けたり」（第３頁第３段第３３〜４５行）、
「繊維材料１０（又は１０’）をその周縁部から拭取り部２（又は２’）の近傍まで切り込んで短冊状に形成したり、或いは、予めミシン目状の切り込み線を設けておいて使用時に上記切り込み線に沿って引き裂いて短冊状に形成することができる。切り込み（又は切り込み線）の形態としては、直線状、ジグザグ状、波線状等の種々の形態が挙げられる。」（第４頁第４段第４〜１０行）、
及び「上記清掃布１は、上記挿入空間Ｓ内に、例えば清掃具の柄４のヘッド４１（図５参照）を挿入し、上記拭取り部２で拭き掃除を行ったり、」（第５頁第７段第１〜３行）
と記載されている。
　　
５）対比・判断
（１）本件発明１に対して
　本件発明１と引用発明１を対比すると、その構成からみて、後者の「基材シート２」が前者の「拭材」に対応する。同様に、「切断部５」が「切れ目」に相当すると認められる。しかし、後者の「波型の接合線４」は、波型であることから「折り目」を形成しないことは明らかであり、「熱処理（熱エンボスロール加工）や超音波溶着手段を用いて」形成されていることから、圧縮されているものの「凹線」まで形成されているか否か不明である。そして、「切れ目列の方向に対し、その切れ目列を構成する各切れ目の方向が角度を有している」というのは、「切れ目の方向が切れ目列の方向に対し平行でない」こと（特許明細書段落【００３０】の記載参照）であるとすると、両者は、
「線状又はスリット状の複数の切れ目が一列に並んでなる切れ目列を２以上有するシート状の繊維製品からなる拭材であって、
前記切れ目列を構成する各切れ目の方向が切れ目列の方向に対し角度を有しており、各切れ目の両端は拭材の端縁よりも内方に位置するものである繊維製拭材。」
において一致し、次の点で相違している。
相違点１−ａ：「切れ目」について、前者が「折曲線状」であるのに対し、後者が「直線状」である点
相違点１−ｂ：前者が「切れ目列を構成する各切れ目の方向が切れ目列の方向に対し傾斜」しているのに対して、後者では「切断部列を構成する各切断部の方向が切断部列の方向に対し垂直」である点
相違点１−ｃ：前者が「折り目又は圧縮凹線を１又は２以上有し、全て又は一部の切れ目列における各切れ目がその折り目又は圧縮凹線に交差するものである」であるのに対し、後者が「波型の接合線４を２以上有し、該接合線４の間に切断部５が断続的に形成されているものである」である点
　　
　そこで、相違点１−ａを検討すると、
その構造からみて、刊行物２に記載の「繊維材料１０（又は１０’）」が本件発明１の「拭材」に相当し、同様に「切り込み（切り込み線）」が「切り目」に相当する。そして、「切り込み（又は切り込み線）の形態としては、直線状、ジグザグ状、波線状等の種々の形態が挙げられる。」との記載からみて、刊行物２には「折曲線状切れ目」が記載されていると認められ、引用発明１の切断部５を「直線状」から「折曲線状」に変更することは、当業者ならば刊行物２の記載を参酌して容易に想到し得る程度のことであると言える。
　　
　次に、相違点１−ｂを検討すると、
刊行物１の図５(B)及び図７には「切断部列を構成する各切断部の方向が切断部列の方向（ｘ方向）に対し傾斜」することも記載されており、引用発明１の切断部５の方向を「列の方向に対し垂直」から「列の方向に対し傾斜」に変更することは、当業者ならば刊行物１の記載を参酌して容易に想到し得る程度のことである。
　　
　更に、相違点１−ｃを検討すると、
前述したように、刊行物２に記載の「切り込み（切り込み線）」が本件発明１の「切り目」に相当し、同様に「ヒートシールした線（図中実線Ｌ）」が「圧縮凹線」に対応する。しかし、刊行物２には「周縁部から拭取り部２（又は２’）の近傍まで切り込んで短冊状に形成したり」の記載と共に、図１，２及び８に「切り込み（切り込み線）」と「ヒートシールした線（図中実線Ｌ）」とが近接することが示されてるのみで、他に両者の交差を直接示す或いは示唆する記載もない。してみると、相違点１−ｃは、刊行物２の記載を参酌して当業者が容易に想到し得る程度のものであるとは言えない。そして、本件発明１は、相違点１−ｃにより、明細書に記載された格別の効果を奏すると認められる。
　　
　以上のことから、本件発明１は、刊行物１に記載された発明と同一ではなく、また、刊行物１及び２に記載された発明に基いて当業者が容易に発明をすることができたものではない。
　　
（２）本件発明２及び３に対して
　本件発明２及び３は、本件発明１を更に限定したものであるから、本件発明１についての上記判断と同様の理由により、刊行物１に記載された発明と同一ではなく、また、刊行物１及び２に記載の発明から当業者が容易に発明をすることができたものではない。
　　
（３）本件発明４に対して
　本件発明４と引用発明２を対比すると、その構成からみて、後者の「基材シート２」が前者の「拭材」に対応する。同様に、「清掃プレート１１」が「基体」に、「清掃用モップ１０」が「拭材保持具」に、「切断部５」が「切れ目」に、「巻き上げ」が「屈曲又は湾曲」それぞれ相当すると認められる。してみると、両者は、
「拭面部を有する基体を備えた拭材保持具における前記基体の拭面部を覆うと共にその拭面部のうち拭対象部に接する部分の端縁部を屈曲状態又は湾曲状態で覆った状態で保持して使用するための、シート状の不織布からなるシート状の拭材であって、
線状又はスリット状の複数の切れ目が一列に並んでなる切れ目列を２以上有し、
前記切れ目列を構成する各切れ目の方向が切れ目列の方向に対し角度を有しており、
各切れ目の両端は拭材の端縁よりも内方に位置し、
拭材は、平行な相対する２辺を有し、拭材における相対する２辺の間の中央と前記２辺の一方との間に、その一方の辺に平行な屈曲部又は湾曲部を有し、その屈曲又は湾曲部において屈曲又は湾曲した状態で基体の拭面部のうち払対象部に接する部分の端縁部を覆うものであり、
前記屈曲部又は湾曲部において屈曲又は湾曲した状態で基体の拭面部のうち払対象部に接する部分の端縁部を覆った状態で拭材保持具に保持されて使用される繊維製拭材。」
において一致し、次の点で相違している。
相違点４−ａ：前者が「切れ目列を構成する各切れ目の方向が切れ目列の方向に対し傾斜」しているのに対して、後者では「切断部列を構成する各切断部の方向が切断部列の方向に対し垂直」である点
相違点４−ｂ：前者では「折り目又は圧縮凹線において屈曲した状態」であるのに対し、後者では単に「巻き上げられ」ている点
相違点４−ｃ：前者が「折り目又は圧縮凹線を１又は２以上有し、全て又は一部の切れ目列における各切れ目がその折り目又は圧縮凹線に交差するものであり、使用されることにより、折り目又は圧縮凹線に交差する切れ目列の各切れ目がやや開口した状態となる」であるのに対し、後者が「波型の接合線４を２以上有し、該接合線４の間に切断部５が断続的に形成されているものであり、使用されることにより、切断部列の各切断部５がやや開口した状態となるか否か不明」である点
　　
　そこで、相違点４−ａを検討すると、
刊行物１の図５(B)及び図７には「切断部列を構成する各切断部の方向が切断部列の方向（ｘ方向）に対し傾斜」することも記載されており、引用発明１の切断部５の方向を「列の方向に対し垂直」から「列の方向に対し傾斜」に変更することは、当業者ならば刊行物１の記載を参酌して極めて容易に想到し得る程度のことである。
　　
　次に、相違点４−ｂを検討すると、
ミシン目等の「切り目」を施し、屈曲し易いようにすることは、種々の技術分野において一般的に実施されていることである、してみると、相違点４−ｂは、当業者ならば必要に応じてなし得る設計的事項に過ぎない。
　更に、相違点４−ｃを検討すると、
引用発明２の「波型の接合線４」が「巻き上げ部」に対して平行でないのは明らかであり、図７に記載されている「巻き上げ部」に平行な２線も「結合線４」に対応するものではない。また、上記相違点１−ｃの検討個所で述べたように、刊行物２にも「切り目」と「折り目又は圧縮凹線」とを交差させることが記載されていない。そして、「切り目」が「折り目又は圧縮凹線」と交差しない以上、「使用されることにより、切れ目列の各切れ目がやや開口した状態となる」こともない。してみると、相違点４−ｃは、刊行物１及び２に記載されておらず、また、示唆する記載もない。そして、本件発明４は、該相違点４−ｃにより、明細書に記載された格別の効果を奏すると認められる。
　　
　以上のことから、本件発明４は、刊行物１に記載された発明と同一ではなく、また、刊行物１及び２に記載された発明に基いて当業者が容易に発明をすることができたものではない。
　　
（４）本件発明５に対して
　本件発明５は、本件発明４を更に限定したものであるから、本件発明４についての上記判断と同様の理由により、刊行物１に記載された発明と同一ではなく、また、刊行物１及び２に記載の発明から当業者が容易に発明をすることができたものではない。
　　
（５）本件発明６ないし９に対して
　本件発明６ないし９は、本件発明１を更に限定したものであるから、本件発明１についての上記判断と同様の理由により、刊行物１に記載された発明と同一ではなく、また、刊行物１及び２に記載の発明から当業者が容易に発明をすることができたものではない。
　　
　また、特許異議申立人は訂正前の請求項８について、
「請求項１の構成要件である『前記切れ目列の方向に対し、その切れ目列を構成する各切れ目の方向が角度を有しており、』と請求項８の構成要件である『切れ目列の方向に対し、その切れ目列を構成する各切れ目の方向が傾斜している』とが、どのように相違し、またその相互の関係がどのようになっているのかは全く不明であって、請求項８に係る発明はその外延を把握することができずきわめて不明確である。」
という理由にて特許異議申立てをしているが、上記訂正事項ａ及びｈによって、請求項１において上記構成要件「前記切れ目列の方向に対し、その切れ目列を構成する各切れ目の方向が角度を有しており、」が上記構成要件「切れ目列の方向に対し、その切れ目列を構成する各切れ目の方向が傾斜している」に訂正されると共に、請求項８から該構成要件が削除されている。したがって、上記特許異議申立ての理由は解消されている。
　　
（６）本件発明１０に対して
　本件発明１０は引用発明１の構成要件を全て含むものである。そして、本件発明１が上記判断の理由より刊行物１に記載された発明と同一ではなく、また、刊行物１及び２に記載の発明から当業者が容易に発明をすることができたものではない以上、本件発明１０も刊行物１に記載された発明と同一ではなく、また、刊行物１及び２に記載の発明から当業者が容易に発明をすることができたものではない。
　　
（７）本件発明１１に対して
　本件発明１１は引用発明４の構成要件を全て含むものである。そして、本件発明４が上記判断の理由より刊行物１に記載された発明と同一ではなく、また、刊行物１及び２に記載の発明から当業者が容易に発明をすることができたものではない以上、本件発明１１も刊行物１に記載された発明と同一ではなく、また、刊行物１及び２に記載の発明から当業者が容易に発明をすることができたものではない。
　　
６）むすび
　以上のとおりであるから、本件請求項１ないし１１に係る発明は、甲第１号証で示す刊行物に記載された発明でないことから特許法第２９条第１項第３号に規定する発明に該当せず、また、甲第１号証並びに甲第２号証で示す刊行物に記載された発明に基いて当業者が容易に発明をすることができたものでないことから特許法第２９条第２項の規定により特許を受けることができない発明でもない。したがって、特許異議申立ての理由及び証拠によっては、本件請求項１ないし１１に係る発明の特許を取り消すことはできないし、当審で通知した取消理由によっても取り消すことはできない。
　また、他に本件請求項１ないし１１に係る発明の特許を取り消すべき理由を発見しない。
　よって、結論のとおり決定する。
【異議決定日】
平成１５年１０月２２日（２００３．１０．２２）
【訂正の要旨】
審決（決定）の【理由】欄参照。
（５４）【発明の名称】
繊維製拭材及びその関連技術
（５７）【特許請求の範囲】
　【請求項１】
　線状又はスリット状の複数の
折曲線状の
前記切れ目列の方向に対し、その切れ目列を構成する各切れ目の方向が
切れ目列の方向に対し傾斜しており
各切れ目の両端は拭材の端縁よりも内方に位置
し、
前記拭材は折り目又は圧縮凹線を１又は２以上有し、全て又は一部の切れ目列における各切れ目がその折り目又は圧縮凹線に交差するものである
　【請求項２】
　全て又は一部の切れ目列において、その切れ目列を構成する切れ目が一直線上に並んでいる請求項１記載の繊維製拭材。
　【請求項３】
　全て又は一部の切れ目列における全ての切れ目が、同一形状で一定間隔おきに平行に配列されたものである請求項１又は２記載の繊維製拭材。
　【請求項４】
　
拭面部を有する基体を備えた拭材保持具における前記基体の拭面部を覆うと共にその拭面部のうち拭対象部に接する部分の端縁部を屈曲状態又は湾曲状態で覆った状態で保持して使用するための、シート状の不織布からなるシート状の拭材であって、
線状又はスリット状の複数の切れ目が一列に並んでなる切れ目列を１又は２以上有し、
前記切れ目列の方向に対し、その切れ目列を構成する各切れ目の方向が傾斜しており、
各切れ目の両端は拭材の端縁よりも内方に位置し、
拭材は、平行な相対する２辺を有し、拭材における相対する２辺の間の中央と前記２辺の一方との間に、その一方の辺に平行な折り目又は圧縮凹線を有し、その折り目又は圧縮凹線において屈曲した状態で基体の拭面部のうち拭対象部に接する部分の端縁部を覆うものであり、
前記全て又は一部の切れ目列における各切れ目がその折り目又は圧縮凹線に交差するものであり、
前記折り目又は圧縮凹線において屈曲した状態で基体の拭面部のうち拭対象部に接する部分の端縁部を覆った状態で拭材保持具に保持されて使用されることにより、折り目又は圧縮凹線に交差する切れ目列の各切れ目がやや開口した状態となることを特徴とする繊維製拭材。
　【請求項５】
　
上記切れ目列が、全長２乃至８ｃｍの線状又はスリット状の複数の切れ目が一列に並んでなるものである請求項４記載の繊維製拭材。
　【請求項６】
　拭材が、平行な相対する２辺を有するシート状をなし、拭材における相対する２辺の間の中央と前記２辺の一方との間に、その一方の辺に平行な直線に沿って、切れ目列が設けられ
、折り目又は圧縮凹線を前記直線に沿って有し、前記切れ目列における各切れ目がその折り目又は圧縮凹線に交差する
１、２又は３
　【請求項７】
　シート状拭材が
、拭材における相対する２辺の間の中央と前記２辺の一方との間に、その一方の辺に平行な
又は圧縮凹線
６
　【請求項８】
　
上記切れ目列が、全長２乃至８ｃｍの線状又はスリット状の複数の切れ目が一列に並んでなるものである請求項１、２、３、６又は７記載の繊維製拭材。
　【請求項９】
　切れ目がＶ字状をなし、各切れ目の対称軸線がほぼ切れ目列の方向に沿うものである
請求項１、２、３、６、７又は８記載の
　【請求項１０】
　拭面部を有する基体を備えた拭材保持具と、
請求項１、２、３、６、７、８又は９記載の
前記繊維製拭材は、その繊維製拭材の切れ目列が前記基体の拭面部のうち拭対象部に接する部分の端縁部とほぼ平行で且つ各切れ目がその端縁部に交差する状態でその拭面部を覆うと共にその拭面部のうち拭対象部に接する部分の端縁部を屈曲状態又は湾曲状態で覆い得るものであり、
そのように基体を覆った状態で繊維製拭材を保持し得る保持手段を備えることを特徴とする清掃具。
　【請求項１１】
　拭面部を有する基体を備えた拭材保持具に、その基体の拭面部を覆うと共にその拭面部のうち拭対象部に接する部分の端縁部を屈曲状態又は湾曲状態で覆い、且つ前記端縁部と切れ目列がほぼ平行でその端縁部に各切れ目が交差するように、
請求項４又は５記載の
基体の拭面部を覆う繊維製拭材を基体により拭対象部に押し当てて摺動させて、各切れ目をやや開いた状態とさせつつ拭対象部の拭掃除を行なうことを特徴とする清掃方法。
【発明の詳細な説明】
　【０００１】
　【発明の属する技術分野】
　本発明は、清掃対象上の塵埃及び塵芥等を拭くための繊維製拭材、並びにその繊維製拭材を用いた清掃方法及び清掃具に関する。
　【０００２】
　【従来の技術及び発明が解決しようとする課題】
　従来、不織布製のシート状拭材を、柄が連結された不織布保持ヘッド等の、拭面部を有する基体（通常、長方形板状の基体）に、その基体の拭面部を覆うと共にその拭面部の端縁部を屈曲状態で覆うように保持し、例えばモップとして床面等を拭く清掃具が広く用いられている。
　【０００３】
　この種の清掃具における基体を移動させてシート状拭材を拭対象部に対し摺動させる場合、シート状拭材のうち基体の端縁部を覆う部分が拭対象部を拭く前縁となるように行うのが通常である。従ってその場合、繊維製拭材のうち基体の端縁部を覆う部分に、拭対象部上を拭き集めた塵埃のかなりの割合が集積する。
　【０００４】
　このように基体の端縁部を覆う部分に集積した塵埃については、シート状拭材による保持が不十分となり易く、拭材保持具を床面等から持ち上げるとシート状拭材のうち端縁部を覆う部分に集積した塵埃の相当量が離脱することが生じがちであったため、清掃効率を低下させる要因ともなっていた。
　【０００５】
　本発明は、従来技術に存した上記のような問題点に鑑み行われたものであって、その目的とするところは、拭面部を有する基体の拭面部を覆うと共にその端縁部を屈曲状態で覆うように保持した繊維製拭材のうち端縁部を覆う部分に集積した塵埃が離脱することが効果的に防がれ、拭掃除の効率を高めることができる繊維製拭材、並びにその繊維製拭材を用いた清掃方法及び清掃具を提供することにある。
　【０００６】
　【課題を解決するための手段】
　（１）　本発明の繊維製拭材は、
線状又はスリット状の複数の
折曲線状の
前記切れ目列の方向に対し、その切れ目列を構成する各切れ目の方向が
切れ目列の方向に対し傾斜しており
各切れ目の両端は拭材の端縁よりも内方に位置
し、
前記拭材は折り目又は圧縮凹線を１又は２以上有し、全て又は一部の切れ目列における各切れ目がその折り目又は圧縮凹線に交差するものである
　【０００７】
　（２）　
本発明の別の繊維製拭材は、拭面部を有する基体を備えた拭材保持具における前記基体の拭面部を覆うと共にその拭面部のうち拭対象部に接する部分の端縁部を屈曲状態又は湾曲状態で覆った状態で保持して使用するための、シート状の不織布からなるシート状の拭材であって、
線状又はスリット状の複数の切れ目が一列に並んでなる切れ目列を１又は２以上有し、
前記切れ目列の方向に対し、その切れ目列を構成する各切れ目の方向が傾斜しており、
各切れ目の両端は拭材の端縁よりも内方に位置し、
拭材は、平行な相対する２辺を有し、拭材における相対する２辺の間の中央と前記２辺の一方との間に、その一方の辺に平行な折り目又は圧縮凹線を有し、その折り目又は圧縮凹線において屈曲した状態で基体の拭面部のうち拭対象部に接する部分の端縁部を覆うものであり、
前記全て又は一部の切れ目列における各切れ目がその折り目又は圧縮凹線に交差するものであり、
前記折り目又は圧縮凹線において屈曲した状態で基体の拭面部のうち拭対象部に接する部分の端縁部を覆った状態で拭材保持具に保持されて使用されることにより、折り目又は圧縮凹線に交差する切れ目列の各切れ目がやや開口した状態となることを特徴とする。
　また本発明の清掃方法は、
拭面部を有する基体を備えた拭材保持具に、その基体の拭面部を覆うと共にその拭面部のうち拭対象部に接する部分の端縁部を屈曲状態又は湾曲状態で覆い、且つ前記端縁部と切れ目列がほぼ平行でその端縁部に各切れ目が交差するように、
（２）における前記本発明の別の繊維製拭材
基体の拭面部を覆う繊維製拭材を基体により拭対象部に押し当てて摺動させて、各切れ目をやや開いた状態とさせつつ拭対象部の拭掃除を行なうことを特徴とする。
　【０００８】
　（３）　更に、本発明の清掃具は、
拭面部を有する基体を備えた拭材保持具と、
前記（１）記載の
前記繊維製拭材は、その繊維製拭材の切れ目列が前記基体の拭面部のうち拭対象部に接する部分の端縁部とほぼ平行で且つ各切れ目がその端縁部に交差する状態でその拭面部を覆うと共にその拭面部のうち拭対象部に接する部分の端縁部を屈曲状態で覆い得るものであり、
そのように基体を覆った状態で繊維製拭材を保持し得る保持手段を備えることを特徴とする。
　【０００９】
　（４）　本発明の繊維製拭材は、拭面部を有する基体を備えた拭材保持具に、基体の拭面部を覆うと共にその拭面部のうち拭対象部に接する部分の端縁部を屈曲状態又は湾曲状態で覆い、前記端縁部と切れ目列がほぼ平行でその端縁部に各切れ目が交差するように保持した状態で使用することができる。このような状態で、基体の拭面部及び端縁部を覆う繊維製拭材を基体により床面等の拭対象部に押し当てつつ摺動させることにより拭掃除を行うことができる。なお、拭面部のうち拭対象部に接する部分の端縁部は、直線状又は緩やかな曲線状であることが好ましい。
　【００１０】
　前記のような繊維製拭材の保持により、又は拭対象部上において基体における拭面部のうち拭対象部に接する部分の端縁部に交差する方向に基体を移動させて行う拭掃除の際の拭対象部との摩擦により、繊維製拭材のうち前記端縁部（拭方向における前縁側の端縁部）を覆う部分に対し、その端縁部に交差する方向に張力が作用する。基体の端縁部に交差する各切れ目は、前記張力によってやや開口した状態（切れ目に対し概ね垂直な方向にやや拡がった状態）となり易いので、繊維製拭材のうち前記端縁部を覆う部分に、やや開口した切れ目が並んだ状態となり易い。
　【００１１】
　基体を移動させて繊維性拭材を拭対象部に対し摺動させる場合、繊維製拭材において拭面部のうち拭対象部に接する部分の端縁部を覆う部分が拭対象部を拭く前縁となるように行うのが通常である。従ってその場合、繊維製拭材のうち前記端縁部を覆う部分に、拭対象部上を拭き集めた塵埃のかなりの割合が集積する。拭面部が平坦面である場合、通常、拭面部の周縁部が、拭対象部と拭面部が接する端縁部となるが、拭面部が湾曲凸面等の凸部を有する場合、拭面部と拭対象部がなす角度により拭対象部と拭面部が接する端縁部の位置が異なってくる。
　【００１２】
　繊維製拭材において基体の拭面部のうち拭対象部に接する部分の端縁部を覆う部分においては、その端縁部に対し各切れ目が交差しており、拭対象部を拭いている状態において、前縁側に位置するそれらの切れ目はやや開口した状態となり易い。そのため、集積した塵埃がやや開口した各切れ目に絡まって保持され、拭材保持具を持ち上げる等して繊維製拭材を拭対象部から例えば垂直方向に分離した場合にも、繊維製拭材のうち前記端縁部を覆う部分に集積した塵埃が離脱することが効果的に防がれ、拭掃除の効率を高めることができる。
　【００１３】
　（５）　切れ目について線状又はスリット状というのは、実質上幅がない線状又は細幅の隙間であるスリット状を意味する。
　【００１４】
　各切れ目の全長は例えば１乃至１０ｃｍとすることができる。好ましくは２乃至８ｃｍ、より好ましくは３乃至６ｃｍである。
　【００１５】
　切れ目列は、通常、３、４又は５以上の切れ目が一列に並んでなるものとすることができる。切れ目列方向における切れ目同士の間隔は、例えば１乃至５ｃｍおきとすることができる。切れ目同士の間隔が大きすぎると切れ目による塵埃保持効果が不十分となり、切れ目同士の間隔が小さすぎると、拭掃除の際に切れ目部分が大きくめくれ易くなるおそれがある。
　【００１６】
　切れ目同士の間隔は一定とすることが望ましいが、これに限るものではない。
　【００１７】
　また、１又は２以上の切れ目列のうち全て又は一部の切れ目列において、その切れ目列を構成する切れ目が一直線上に並んだものとすることができる。このような切れ目列としては、例えば、一定の直線に対し一定角度で傾斜した一定長さの切れ目又は２種以上の角度で傾斜した一定長さ若しくは２種以上の長さの切れ目がその一定直線上に一定間隔おきに並んだものを挙げることができる。
　【００１８】
　更に、全て又は一部の切れ目列における全ての切れ目が、同一形状で一定間隔おきに（例えば切れ目列方向において１乃至３ｃｍおき）平行に配列されたものとすることができる。この場合、切れ目列を設けるのが容易であるという点で繊維製拭材の製造が容易である。
　【００１９】
　（６）　拭材を構成するシート状の繊維製品は、拭対象部上の塵埃等を拭き取る効果が比較的高く製造コストが比較的安価である等の点で、不織布であることが望ましい。
　【００２０】
　拭材は、例えばシート状をなすものとすることができる。拭材がシート状である場合、例えば拭材が平行な相対する２辺を有するシート状（例えば方形シート状）をなすものとすることができる。
　【００２１】
　この場合の拭材は、平行な相対する２辺を有するシート状をなし、拭材における相対する２辺の間の中央と前記２辺の一方との間に、その一方の辺に平行な直線に沿って、切れ目列が設けられたものとすることができる。
　【００２２】
　このような切れ目列は、相対する２辺とそれらの中央との間にそれぞれ１ずつ設けられたものとすることができる。これらは互いに平行である。
　【００２３】
　また、シート状の拭材が折り目又は圧縮凹線を１又は２以上有し、全て又は一部の切れ目列における各切れ目がその折り目又は圧縮凹線に交差するものとすることができる。
　【００２４】
　この場合、折り目又は圧縮凹線において屈曲した状態で拭材により基体の拭面部のうち拭対象部に接する部分の端縁部を覆うことが容易であり、それにより、繊維製拭材のうち前記端縁部を覆う部分において、その端縁部に対し各切れ目が交差した状態とすることができる。
　【００２５】
　圧縮凹線とは、シート状の拭材の厚さ方向に圧縮状態に固定された線状の凹部を意味する。例えば、繊維製の不織シートに対し一定の線に沿って加熱圧縮を施すことにより、その線に沿った圧縮凹線を形成することができる。なお、不織布等の拭材を構成するシート状の繊維製品には、他にエンボス加工により直線および／または曲線状の圧縮凹等を設ける等の、この種の拭材に通常施されるような種々の加工を施すことができる。
　【００２６】
　シート状の拭材の例としては、直線状の１辺を有するシート状をなし、その１辺に平行な折り目又は圧縮凹線を有するもの；互いに平行な相対する２辺を有するシート状又は方形シート状をなし、折り目又は圧縮凹線が前記２辺に平行であるもの；折り目又は圧縮凹線が直線状であり、切れ目列がその折り目に沿うもの；ミシン目等の容易に切断し得る切離し部を介して連続したシート状の拭材（巻回されたものとすることができる）で、切離し部で切断することにより前記のような単独使用するシート状拭材となるもの等を挙げることができる。
　【００２７】
　（７）　また拭材は、不織布等のシート状の繊維製品からなる袋状物であるものとすることができる。
　【００２８】
　この場合の拭材は、開口部以外の周縁部が折り返し状部により構成された袋状に形成されてなり、全て又は一部の切れ目列における各切れ目がその折り返し状部に交差するものとすることができる。
　【００２９】
　この折り返し状部というのは、角状（例えば曲率半径が１乃至２ｍｍ以下程度）又は湾曲凸部状（例えば曲率半径が数ｍｍ乃至数ｃｍ程度）に折り返した部分、端縁部同士を張り合わせて折り返し状に形成した部分を含む。折り返し状部は、直線状のほか、曲線状でもよい。切れ目列の方向は主な拭き方向（通常、拭面部のうち拭対象部に接する部分の端縁部に対しほぼ垂直な方向）に対しなるべく垂直に近いことが好ましい。
　【００３０】
　（８）　切れ目列の方向に対し、その切れ目列を構成する各切れ目の方向が角度を有しているというのは、切れ目の方向が切れ目列の方向に対し平行でないことを言う。
　【００３１】
　切れ目列を構成する各切れ目の方向は、切れ目列の方向に対し傾斜しているものであることが好ましい。
　【００３２】
　切れ目列の方向に対し、その切れ目列を構成する各切れ目の方向が傾斜している場合、各切れ目は基体の端縁部に傾斜した状態で交差することとなる。繊維製拭材のうち前記端縁部を覆う部分に対し繊維製拭材の保持により作用する張力の主な方向は、その端縁部に直交する方向となり易い。
　【００３３】
　そのため、繊維製拭材に作用する張力により基体の端縁部に傾斜した状態で交差する各切れ目がやや開口した状態となることが一層生じ易い。
　【００３４】
　また、繊維性拭材を拭対象部に対し摺動させて行う拭掃除においては、基体の端縁部に対しほぼ垂直な方向に基体を移動させる率が最も高い。従って、拭掃除の際に繊維製拭材に作用する張力により各切れ目がやや開口した状態となることがより生じ易くなると共に、基体を覆う繊維製拭材のうち拭掃除を行う場合の前縁側に集積した塵埃がやや開口した各切れ目に絡まって保持されることがより効果的に行われる。
　【００３５】
　切れ目列の方向に対し、その切れ目列を構成する各切れ目の方向が傾斜しているというのは、切れ目の方向が切れ目列の方向に対し平行でも垂直でもないことを言う。切れ目列の方向と切れ目の方向との角度又は傾斜は、直線同士に限らず、直線と曲線又は曲線同士においても成立する。切れ目列の方向に対し切れ目の方向が傾斜している場合の傾斜角度は、例えば１０度（浅い傾斜）乃至８０度（深い傾斜）とすることができるが、４０度乃至７０度程度であることが好ましい。
　【００３６】
　前記のように、繊維製拭材を、拭面部を有する基体を備えた拭材保持具に、基体の拭面部を覆うと共にその拭面部のうち拭対象部に接する部分の端縁部を屈曲状態で覆い、前記端縁部と切れ目列がほぼ平行でその端縁部に各切れ目が交差するように保持した状態で拭対象部を拭く際に、切れ目列の方向に対する切れ目の傾斜角度が浅すぎると、切れ目が大きく開口しすぎて基体が大きく露出し、却って塵埃の集積及び保持の効率を低下させることとなる（特に、切れ目が折曲線状である場合にこのようになり易い）。その一方、切れ目列の方向に対する切れ目の傾斜角度が深すぎるか垂直であると、切れ目が開口しにくくなり、繊維製拭材のうち前記端縁部を覆う部分に集積した塵埃の離脱を効果的に防止することが困難となり易い。
　【００３７】
　各切れ目は、直線状、曲線状の他、Ｖ字状などの折曲線状、又はこれらの組み合わせ等とすることができる。これらのうち、折曲線状とすることは、切れ目を開口し易くして塵埃保持を効果的に行わせる上で好ましい。
　【００３８】
　Ｖ字状の切れ目の場合、そのＶ字状の切れ目の対称軸線がほぼ切れ目列の方向に沿うものとすることが好ましい。この場合におけるＶ字の拡開角度（折曲角度）は、小さすぎるとＶ字を構成する折曲線が切れ目列の方向に対し平行に近くなって拭掃除の際に切れ目が大きく開きすぎることとなり易く、大きすぎると垂直に近くなって拭掃除の際に切れ目が開き難いこととなり易い。好適な拡開角度としては、６０度乃至１４０度を挙げることができる。より好ましくは９０度乃至１２０度程度である。
　【００３９】
　なお、切れ目の主たる方向に沿って、切れ目の全長に比し十分に波長が短い波形、特にジグザグ波形（三角波形）が繰り返すものとすることも、切れ目による塵埃の保持上好ましい（例えば切れ目が全体としてＶ字状の場合、主たる方向もＶ字状に折曲し、Ｖ字に沿って湾曲波形やジグザグ波形が繰り返すものである。）。この場合は、切れ目列の方向に対し、切れ目の主たる方向が傾斜したものであることが望ましい。
　【００４０】
　切れ目は、折曲している場合や湾曲している場合における折曲点や湾曲部上の特定点等の局部を除いて切れ目列の方向に対し傾斜していることが好ましい。尤も、切れ目列の方向に対しある程度以上の長さの部分（例えば１ｃｍ、２ｃｍ又は３ｃｍ程度以上の長さの部分）が傾斜していれば、他の部分が平行又は垂直であるものとすることもでき、必ずしも全体が切れ目列の方向に対し傾斜していることを要しない。
　【００４１】
　切れ目がＶ字状などの折曲線状である場合、その折曲点を基体の拭面部のうち拭対象部に接する部分の端縁部に位置させて使用すると各切れ目がやや開口した状態となることがより生じ易いので好ましい。その意味で、上記のように折り目又は圧縮凹線を有するシート状の拭材においては、その折り目又は圧縮凹線上に折曲点が位置するものとすることが好ましい。尤も、このように切れ目がＶ字状などの折曲線状である場合に、基体の拭面部のうち拭対象部に接する部分の端縁部に各切れ目が交差するがその折曲点をその端縁部に位置させずに使用することもでき、上記のように折り目又は圧縮凹線を有するシート状の拭材において、その折り目又は圧縮凹線に各切れ目が交差するがその折り目又は圧縮凹線上に折曲点が位置しないものとすることもできる。
　【００４２】
　繊維製拭材上に切れ目列を設けるべき位置は、前記のような拭材保持具に、基体の拭面部を覆うと共にその拭面部のうち拭対象部に接する部分の端縁部を屈曲状態で覆い、前記端縁部と切れ目列がほぼ平行でその端縁部に各切れ目が交差するように保持し得る位置であり、拭材保持具の形態及び寸法に応じたものとなる。
　【００４３】
　（９）　各切れ目の両端は拭材の端縁よりも内方に位置する。
　【００４４】
　すなわち、例えば拭材が方形シート状である場合、各切れ目の両端は、その方形の何れの辺にも達しない。例えば、方形シート状の拭材における２組の相対する２辺のうち一方の内側の一定部分及び他方の内側の一定部分並びにその両部分から内方に離隔した一定部分を除く部分に、切れ目を有するものとすることができる。
　【００４５】
　また、例えば拭材が袋状物である場合、各切れ目の両端はその袋状物の開口縁に達しない。
　【００４６】
　（１０）　本発明の清掃具における基体の拭面部は、例えば、平面形状が長方形（角部が湾曲したものを含む）若しくはその他の多角形状の平坦面、湾曲若しくは非湾曲（断面多角形状）凸面或いはそれらの組合せとすることができる。
　【００４７】
　拭面部のうち拭対象部に接する部分の端縁部は、例えば、断面が角状（例えば角部の曲率半径が１乃至２ｍｍ以下程度。その角度は、好ましくは、直角又は６０度若しくは７０度等の鋭角。）又は湾曲凸部状（例えば曲率半径が数ｍｍ乃至数ｃｍ程度の直線状又は曲線状端縁部とすることができる。拭面部のうち拭対象部に接する部分の端縁部の曲率半径としては５ｍｍ程度以下が望ましい。より望ましいのは３ｍｍ又は２ｍｍ以下である。
　【００４８】
　拭面部及びその少なくとも一部の端縁部（好ましくは全ての端縁部）は、弾力性のある材料（合成ゴム等のゴム状材料又はスポンジ状材料等）により構成したもの（硬質の合成樹脂や金属等の剛性的な基体のうち拭面部及び端縁部を弾力性のある材料により被覆したものや、基体全体を弾力性のある材料により形成したもの）であることが好ましい。
　【００４９】
　基体には、作業者が基体を操作して拭掃除を行い易くするために柄や把手等が設けられていることが好ましい。
　【００５０】
　拭材保持具における保持手段としては、例えば、線端部等に突起を有する複数の弾性板状舌片を突起同士が向かい合うように設け、それらの弾性板状舌片の間に保持するもの；面ファスナーのうちフック状要素を多数備えたものにより、繊維製拭材（例えば不織布製のもの）を付着保持するもの；繊維製拭材を挟持するクリップ機構を等を挙げることができる。
　【００５１】
　このような保持手段は、基体に設けることができるが、基体以外の部分に設けることを妨げるものではない。
　【００５２】
　繊維製拭材が袋状である場合、基体をその袋状の繊維製拭材の内部に挿入するものとし、その基体と袋状の繊維製拭材との摩擦により繊維製拭材が基体に保持される（基体自体が保持手段を兼ねる）ものとすることもでき、別に前記のような保持手段を設けることもできる。
　【００５３】
　拭材保持具の最も普通の形態は、基体が略長方形板状、拭面部がその基体の長方形状の底面部（通常は平坦な底面部）で、拭面部及びその全ての端縁部が弾力性のある材料により構成され、繊維製拭材を、拭面部及びその拭面部のうち拭対象部に接する部分の端縁部のうち一対の長辺に沿った両端縁部を屈曲状態で覆うように基体の上面側に設けた保持手段で保持し得るものである。
　【００５４】
　従って本発明の繊維製拭材の最も普通の形態としては、この最も普通の形態の拭材保持具の基体にこのように保持された場合に、前記切れ目列を、互いに平行な状態で一対有するものを挙げることができる。
　【００５５】
　この場合、前記のように拭材保持具に保持した状態において、一方の切れ目列を構成する各切れ目が、一方の長辺に沿った端縁部に、（好ましくは傾斜した状態で）交差し、他方の切れ目列を構成する各切れ目が他方の長辺に沿った端縁部に（好ましくは傾斜した状態で）交差し得るものとすることができる。
　【００５６】
　【発明の実施の形態】
　本発明の実施の形態を、図面を参照しつつ説明する。
　【００５７】
　図１は、本発明の繊維製拭材の実施の形態の一例としての拭掃除用不織布（シート状拭材）の平面図、図２は、本発明の清掃具の実施の形態の一例についての斜視図である。
　【００５８】
　清掃具は、拭掃除用不織布１０と、平面長方形状の不織布保持ヘッド１２ａ（基体）に柄１２ｂが連結されてなる拭材保持具１２からなる。不織布保持ヘッド１２ａの底面である拭面部１２ｃは長方形状の平面であり、その拭面部１２ｃ及びその全周縁部は、弾力性のある合成ゴムにより形成されている。図３は、その拭材保持具の要部側面図である。
　【００５９】
　この拭掃除用不織布１０は、平面長方形状の合成繊維製の不織布であり、長辺に平行な２本の直線状の位置決め用圧縮凹線１６（折り目であってもよい）を、短辺における４分の１及び４分の３の位置（短辺方向の対称位置）に有すると共に、Ｖ字状の切れ目１８ａからなる２組の切れ目列１８を有する。各切れ目列１８におけるＶ字状の切れ目１８ａは線状であり、Ｖ字状の切れ目１８ａの折曲点（Ｖ字の頂点）及び対称軸線が圧縮凹線上に位置する。また、各切れ目列におけるＶ字状の切れ目１８ａは拡開角度が約１１０度の同一形状であり、一定間隔おきに設けられている。
　【００６０】
　前記圧縮凹線１６は、何れも加熱圧縮によって厚さ方向に圧縮状態に固定された線状の凹部であり、拭掃除用不織布１０の両面に共通である。圧縮凹線を容易且つ確実に形成する上で、本発明における不織シートを構成する繊維は、全て又は一部が、加熱されることにより溶融する繊維（例えばポリエステル等の合成繊維）であることが好ましい。
　【００６１】
　不織布保持ヘッド１２ａの主たる拭方向は、拭く範囲が広くなる短手方向である。拭掃除用不織布１０に設けられた２本の圧縮凹線１６間の距離は、不織布保持ヘッド１２ａの短手方向長さに対応する。
　【００６２】
　拭掃除用不織布１０を不織布保持ヘッド１２ａに保持する場合、位置決め圧縮凹線１６に挟まれた内側を不織布保持ヘッド１２ａの底面に位置させ、各位置決め圧縮凹線１６の外側を、不織布保持ヘッド１２ａの上面側に折り返し、不織布保持ヘッド１２ａの上面に設けられた弾性舌片からなる挟持部１２ｄに挟持させる。このようにして、拭掃除用不織布１０により、不織布保持ヘッド１２ａの拭面部１２ｃを覆うと共に、その拭面部１２ｃの周縁のうち両長辺部１２ｅ（主たる拭方向に垂直な辺）を屈曲状態で覆うことができ、而もこの状態において、各切れ目列１８における各切れ目１８ａは、そのＶ字の対称軸線が両長辺部１２ｅにほぼ一致する状態でその両長辺部１２ｅに交差することとなる。
　【００６３】
　このように拭掃除用不織布１０を不織布保持ヘッド１２ａに保持したことによりその拭掃除用不織布１０のうち両長辺部１２ｅを覆う部分に対しほぼ拭面部１２ｃの短手方向に作用し得る張力により、又は、床面等の拭対象部上においてほぼ前記主たる拭方向に不織布保持ヘッド１２ａを移動させて行う拭掃除の際の拭掃除用不織布１０と床面等との摩擦によりその拭掃除用不織布１０のうち前縁側の長辺部１２ｅを覆う部分に対しほぼ拭面部１２ｃの短手方向に作用し得る張力により、各切れ目１８ａはやや開口した状態となる。
　【００６４】
　床面等の拭対象部上においてほぼ前記主たる拭方向に不織布保持ヘッド１２ａを移動させて行う拭掃除においては、拭掃除用不織布１０のうち前記長辺部１２ｅを覆う部分に、図２に二点鎖線で示すように、拭対象部上を拭き集めた塵埃２０のかなりの割合が集積する。拭掃除用不織布１０のうち前記長辺部１２ｅを覆う部分に、やや開口した切れ目１８ａが並んだ状態で拭掃除が行われることにより、集積した塵埃２０が各切れ目１８ａに絡まって保持され、不織布保持ヘッド１２ａを持ち上げる等して拭掃除用不織布１０を拭対象部から例えば垂直方向に分離した場合にも、拭掃除用不織布１０のうち前記長辺部１２ｅを覆う部分に集積した塵埃２０が離脱することが効果的に防がれ、拭掃除の効率を高めることができる。使用後この拭掃除用不織布１０を不織布保持ヘッド１２ａから取り外した状態においては、例えば図１に二点鎖線で示すように両圧縮凹線１６に沿って塵埃２０が集積した状態で保持されることとなる。
　【００６５】
　図４は、容易に切断し得るミシン目部２２を介して連続した拭掃除用不織布２４が巻回されたものを示す。ミシン目部２２で切離した場合の各拭掃除用不織布は、図１の拭掃除用不織布１０と同様である。
　【００６６】
　図５に示す拭掃除用不織布２６は、各切れ目２８を、その主たる方向に沿って、切れ目２８の全長に比し十分に波長が短いジグザグ波形が繰り返すものとして塵埃保持効果を高めようとしたものであることを除き、図１の拭掃除用不織布１０と同様である。
　【００６７】
　図６に示す拭掃除用不織布３０は、各切れ目３２を、圧縮凹線１６に対し垂直なものとしたことを除き、図１の拭掃除用不織布１０と同様である。
　【００６８】
　図７に示す拭掃除用不織布３４は、各切れ目３６を、その主たる方向である圧縮凹線１６に対し垂直な方向に沿って、切れ目３６の全長に比し十分に波長が短いジグザグ波形が繰り返すものとして塵埃保持効果を高めようとしたものであることを除き、図６の拭掃除用不織布３０と同様である。
　【００６９】
　図８は、本発明の繊維製拭材の実施の形態の更に別の例としての清掃具の上面側斜視図である。この清掃具は、不織布製の拭掃除用袋体５０と、その拭掃除用袋体５０と、断面略楕円形状の拭掃除用袋体保持ヘッド５２ａ（基体）に柄５２ｂが連結されてなる拭材保持具５２からなる。拭掃除用袋体保持ヘッド５２ａの底面である拭面部５２ｃは湾曲凸面であり、その拭面部５２ｃ及びその全周縁部は、柔軟性のあるスポンジ状材料により形成されている。
　【００７０】
　図９は、図８の拭掃除用袋体５０の下面側斜視図である。この拭掃除用袋体５０は、後端部が開口し、左右両側部（不織布の折り返し部又は貼り合せ部）に、Ｖ字状の切れ目５４ａからなる２組の切れ目列５４を有する。
　【００７１】
　図８は、拭掃除用袋体５０に対しその開口部から拭掃除用袋体保持ヘッド５２ａを挿入する途中の状態であるが、挿入を完了した状態において、各切れ目列５４における各切れ目５４ａは、そのＶ字の対称軸線が左右両側部の上下境界線５６にほぼ一致する状態でその両上下境界線５６に交差することとなる。
　【００７２】
　このように拭掃除用袋体５０を拭掃除用袋体保持ヘッド５２ａに保持したことによりその拭掃除用袋体５０のうち上下境界線５６を含む左右両側部を覆う部分に対しほぼ拭面部５２ｃの短手方向に作用し得る張力により、又は、床面等の拭対象部上において主たる拭方向である前記短手方向に拭掃除用袋体保持ヘッド５２ａを移動させて行う拭掃除の際の拭掃除用袋体５０と拭対象面との摩擦によりその拭掃除用袋体５０のうち前縁側の側縁部を覆う部分に対しほぼ拭面部５２ｃの短手方向に作用し得る張力により、各切れ目５４ａはやや開口した状態となる。
　【００７３】
　床面等の拭対象部上においてほぼ前記主たる拭方向に拭掃除用袋体保持ヘッド５２ａを移動させて行う拭掃除においては、拭掃除用袋体５０のうち前記左右両側部を覆う部分に、拭対象部上を拭き集めた塵埃のかなりの割合が集積する。拭掃除用袋体５０のうち前記側縁部を覆う部分に、やや開口した切れ目５４ａが並んだ状態で拭掃除が行われることにより、集積した塵埃が各切れ目５４ａに絡まって保持され、拭掃除用袋体保持ヘッド５２ａを持ち上げる等して拭掃除用袋体５０を拭対象部から例えば垂直方向に分離した場合にも、拭掃除用袋体５０のうち前記側縁部を覆う部分に集積した塵埃が離脱することが効果的に防がれ、拭掃除の効率を高めることができる。
　【００７４】
　なお、拭面部５２ｃを平坦面とすることも勿論可能である。
　【００７５】
　【発明の効果】
　本発明によれば、拭面部を有する基体を備えた拭材保持具に、基体の拭面部を覆うと共にその拭面部のうち拭対象部に接する部分の端縁部を屈曲状態又は湾曲状態で覆い、前記端縁部と切れ目列がほぼ平行でその端縁部に各切れ目が交差するように保持した状態で、基体の拭面部及び端縁部を覆う繊維製拭材を基体により床面等の拭対象部に押し当てつつ摺動させることにより拭掃除を行うことができる。この場合、本発明の繊維製拭材のうち前記端縁部を覆う部分にやや開口した切れ目が並んだ状態となり易い。そのため、拭掃除により前記端縁部に集積した塵埃がやや開口した各切れ目に絡まって保持されるものとすることにより、拭材保持具を持ち上げる等して繊維製拭材を拭対象部から例えば垂直方向に分離した場合にも、繊維製拭材のうち前記端縁部を覆う部分に集積した塵埃が離脱することを効果的に防いで、拭掃除の効率を高めることが可能である。
【図面の簡単な説明】
　【図１】
　拭掃除用不織布の平面図である。
　【図２】
　清掃具の斜視図である。
　【図３】
　拭材保持具の要部側面図である。
　【図４】
　別の拭掃除用不織布の斜視図である。
　【図５】
　更に別の拭掃除用不織布の平面図である。
　【図６】
　更に別の拭掃除用不織布の平面図である。
　【図７】
　更に別の拭掃除用不織布の平面図である。
　【図８】
　別の清掃具の上面側斜視図である。
　【図９】
　図８に示された拭掃除用袋体の下面側斜視図である。
　【符号の説明】
　１０　　拭掃除用不織布
　１２　　拭材保持具
　１２ａ　不織布保持ヘッド
　１２ｂ　柄
　１２ｃ　拭面部
　１２ｄ　挟持部
　１２ｅ　長辺部
　１６　　圧縮凹線
　１８　　切れ目列
　１８ａ　切れ目
　２０　　塵埃
　２２　　ミシン目部
　２４　　拭掃除用不織布
　２６　　拭掃除用不織布
　２８　　切れ目
　３０　　拭掃除用不織布
　３２　　切れ目
　３４　　拭掃除用不織布
　３６　　切れ目
　５０　　拭掃除用袋体
　５２　　拭材保持具
　５２ａ　拭掃除用袋体保持ヘッド
　５２ｂ　柄
　５２ｃ　拭面部
　５４　　切れ目列
　５４ａ　切れ目
　５６　　上下境界線